(57)【要約】【課題】  手軽で且つ低コストであり、しかも湯の花セラミックスから放射される放射線によって優れた医学的効果を得ることができる岩盤浴装置を提供する。【解決手段】  ラジウムを含む湯の花からなる湯の花セラミックス２０を寝床１０Ａに敷き詰めるようにした。【選択図】    図１
2005245631.tif 000002
【特許請求の範囲】
【請求項１】
ラジウムを含む湯の花からなる湯の花セラミックスが寝床に敷き詰められていることを特徴とする岩盤浴装置。
【請求項２】
請求項１において、前記湯の花セラミックスが、玉川温泉の湯の花から硫黄成分を除去することで形成されたものであることを特徴とする岩盤浴装置。
【請求項３】
請求項１又は２において、前記湯の花セラミックスのラジウム放射量が毎分１２００カウント以上であることを特徴とする岩盤浴装置。
【請求項４】
請求項１〜３の何れかにおいて、前記寝床には、遠赤外線を放射する遠赤外線放射性セラミックス、及びマイナスイオンを放射するマイナスイオン放射性セラミックスの少なくとも何れか一方がさらに敷き詰められていることを特徴とする岩盤浴装置。
【請求項５】
請求項１〜４の何れかにおいて、前記寝床には、活性炭がさらに敷き詰められていることを特徴とする岩盤浴装置。
【請求項６】
請求項１〜５の何れかにおいて、前記寝床の最表面には、少なくとも遠赤外線を放射する鉱石が敷き詰められていることを特徴とする岩盤浴装置。
【発明の詳細な説明】
【技術分野】
【０００１】
本発明は、身体に放射線を放射することで放射線治療を行う岩盤浴装置に関する。
【背景技術】
【０００２】
従来から、身体に放射線を放射するいわゆる放射線治療法が知られている。この放射線治療法は、癌等の難病治療に有効であり、その代表例としては、岩盤の上に横になって寝ることで、その岩盤から放射される放射線を浴びる岩盤浴がある。
【０００３】
ここで、このような岩盤浴の原理を採用したものとして、ラジウム放射線が地上に放射される岩盤の上に砂や砂利を敷き詰めて、その内部に複数の噴射口を開口した空気供給管を埋設し、さらにその上に鉱石を敷き詰めて、その内部に温水管を埋設したラジウム放射線温浴施設が知られている（例えば、特許文献１参照）。
【０００４】
このようなラジウム放射線温浴施設は、ラジウム放射線が地上に放射される岩盤を利用したものであるが、この施設と同じものを、例えば、家庭や医療施設等に導入するのは非常に困難であり、また、多大な設備投資が必要となるため、コスト的にも問題がある。
【０００５】
【特許文献１】特開２００２−３５０７８号公報（第１図）
【発明の開示】
【発明が解決しようとする課題】
【０００６】
本発明はこのような事情に鑑み、手軽で且つ低コストであり、しかも湯の花セラミックスから放射される放射線によって優れた医学的効果を得ることができる岩盤浴装置を提供することを課題とする。
【課題を解決するための手段】
【０００７】
上記課題を解決する本発明の第１の態様は、ラジウムを含む湯の花からなる湯の花セラミックスが寝床に敷き詰められていることを特徴とする岩盤浴装置にある。
【０００８】
かかる第１の態様では、寝床に湯の花セラミックスを敷き詰めることにより、手軽で且つ低コストで放射線治療を行うことができ、湯の花セラミックスから放射される放射線により、優れた医学的効果を得ることができる。
【０００９】
本発明の第２の態様は、第１の態様において、前記湯の花セラミックスが、玉川温泉の湯の花から硫黄成分を除去することで形成されたものであることを特徴とする岩盤浴装置にある。
【００１０】
かかる第２の態様では、玉川温泉の湯の花から硫黄成分（例えば、硫黄の他、硫化水素や硫化砒素などの硫化物、あるいは硫黄酸化物等を含む）を少なくとも除去して、湯の花セラミックスを形成し、この湯の花セラミックスを寝床に敷き詰めることで、得られる医学的効果を高めることができる。
【００１１】
本発明の第３の態様は、第１又は２の態様において、前記湯の花セラミックスのラジウム放射量が毎分１２００カウント以上であることを特徴とする岩盤浴装置にある。
【００１２】
かかる第３の態様では、医療用として十分なラジウム放射量を得ることができる。
【００１３】
本発明の第４の態様は、第１〜３の何れかの態様において、前記寝床には、遠赤外線を放射する遠赤外線放射性セラミックス、及びマイナスイオンを放射するマイナスイオン放射性セラミックスの少なくとも何れか一方がさらに敷き詰められていることを特徴とする岩盤浴装置にある。
【００１４】
かかる第４の態様では、湯の花セラミックスから放射される放射線と、遠赤外線、マイナスイオンとの相乗効果により、非常に優れた医学的効果を得ることができる。
【００１５】
本発明の第５の態様は、第１〜４の何れかの態様において、前記寝床には、活性炭がさらに敷き詰められていることを特徴とする岩盤浴装置にある。
【００１６】
かかる第５の態様では、活性炭による消臭効果を得ることができる。
【００１７】
本発明の第６の態様は、第１〜５の何れかの態様において、前記寝床の最表面には、少なくとも遠赤外線を放射する鉱石が敷き詰められていることを特徴とする岩盤浴装置にある。
【００１８】
かかる第６の態様では、鉱石による指圧効果を得ることができる。
【発明の効果】
【００１９】
本発明の岩盤浴装置によれば、湯の花セラミックスを寝床に敷き詰めることにより、手軽で且つ低コストで放射線治療を行うことができ、湯の花セラミックスから放射される放射線により、優れた医学的効果を得ることができるという効果を奏する。
【発明を実施するための最良の形態】
【００２０】
以下に本発明を実施形態に基づいて詳細に説明する。
【００２１】
（実施形態１）
図１は、本発明の実施形態１に係る岩盤浴装置の概略を示す斜視図及び側面図であり、図２は、図１の要部拡大一部断面図である。
【００２２】
図１及び図２に示すように、本実施形態の岩盤浴装置１０は、治療用ベッドであり、その寝床１０Ａにはラジウムを含む湯の花からなる湯の花セラミックス２０と、遠赤外線を放射する遠赤外線放射性セラミックス３０とが敷き詰められている。そして、このような岩盤浴装置１０では、図１（ｂ）に示すように、寝床１０Ａに横になって寝ることにより、身体に放射される放射線と遠赤外線とによって、手軽に且つ低コストで、優れた医学的効果を得ることができる。
【００２３】
具体的には、本実施形態の岩盤浴装置１０は、ベッド本体４０の内部に温水を循環させる温水循環パイプ５０が複数並設され、この温水循環パイプ５０には温水ポンプ５５が接続されている。また、これら各温水循環パイプ５０の間には、後述する湯の花セラミックス２０と遠赤外線放射性セラミックス３０とを入れたセラミックス包装体１００と、活性炭６０を入れた活性炭包装体２００とが交互に敷き詰められている。さらに、温水循環パイプ５０、セラミックス包装体１００及び活性炭包装体２００の上には、本実施形態では、遠赤外線を放射する鉱石７０が敷き詰められ、この鉱石７０によって寝床１０Ａの最表面が構成されている。
【００２４】
ここで、湯の花セラミックス２０には、放射性物質としてラジウムが含まれている。このラジウムは、ラジウム放射線を放射する元素として知られており、近年、医学の分野において、薬だけでは治療しきれない慢性的な病魔、例えば、内臓疾患、疼痛性疾患などの健康障害回復に関して物理療法で治す治療法に用いられている。なお、このようなラジウム放射能の医学的効果は、微弱放射線が体細胞を刺激して、新陳代謝を活性化するという、いわゆる放射線ホルミシス効果であると考えられている。このような放射線ホルミシス効果を得ることができる天然鉱物としては、北投石が知られているが、この北投石は、国の特別天然記念物に指定されているため採取不可能となっている。このため、本実施形態では、この北投石とほぼ同等の成分である湯の花セラミックス２０を人工的に作り出し、これを寝床１０Ａに敷き詰めて岩盤浴装置とした。
【００２５】
詳細には、湯治場として有名な玉川温泉（秋田県）により産出される湯の花を焼成することで湯の花セラミックス２０を人工的に作製した。すなわち、玉川温泉には、温泉水がｐＨ１．１〜１．２の強酸性泉（硫化水素含有塩酸性緑ばん泉）で微弱のラジウム放射能が含まれている。そして、本発明では、このような玉川温泉の湯の花が、天然の北投石とほぼ同等の成分を有する点に着目し、この玉川温泉の湯の花から人体に有害な物質の１つである少なくとも硫黄成分、例えば、硫黄の他、硫化水素や硫化砒素などの硫化物、あるいは硫黄酸化物等を特殊な方法により除去してラジウム成分等の有効成分を抽出し、それを焼成することで湯の花セラミックス２０を人工的に作製した。このようにして作製された湯の花セラミックス２０は、天然の北投石と同等の成分を有するものであるから、これを放射線治療に用いることで、天然の北投石と同等の放射線ホルミシス効果を得ることができ、優れた医学的効果を得ることができる。これに対し、ラジウムを含まない湯の花を用いてセラミックスを作製しても、本発明に係る湯の花セラミックス２０による放射線ホルミシス効果を得ることはできない。
【００２６】
また、このような湯の花セラミックス２０のラジウム放射量は、毎分１２００カウント（ＣＰＭ）以上であるのが好ましい。ラジウム放射量が１２００ＣＰＭ以上あれば一般に医療用として十分な効果を得ることができるとされているからである。なお、ラジウム放射量は、あまり多すぎると人体に対して刺激が強すぎるおそれもあるので、１２００〜１６００ＣＰＭの範囲内であるのがさらに好ましい。勿論、このようなラジウム放射能が１２００ＣＰＭより小さくても、医学的効果を得ることができることはいうまでもない。本実施形態で用いた湯の花セラミックス２０は、放射量を測定した結果、１６００ＣＰＭ程度のラジウム放射量を有していることが分かった。
【００２７】
また、このようなラジウムの壊変に伴って発生する無色・無臭の不活性ガス中には、放射性を有するラドンが存在する。すなわち、湯の花セラミックス２０からは、ラドンを含む不活性ガス（ラドンガス）が発生する。そして、このようなラドンガスは、例えば、ラドン温泉に接している身体の皮膚面から体内に入り込み、その体内を循環し、皮膚組織や神経系等を刺激することが知られており、ラジウムと同様に、放射線ホルミシス効果が期待できる。
【００２８】
さらに、このような湯の花セラミックス２０からは、ラジウム放射線やラドンガスの他、マイナスイオンが発生する。このようなマイナスイオンは、呼吸や皮膚から取り入れられると、血液を通して体全体をめぐり、新陳代謝を活発にし、各細胞の機能を活性化させ、疲労の回復に効果があり、上述した放射線ホルミシス効果を高める効果もある。
【００２９】
このように、湯の花セラミックス２０から放射される放射線、例えば、ラジウム放射線、ラドンガス及びマイナスイオンによって優れた医学的効果が得られることは上述した通りであるが、これに、例えば、遠赤外線を組み合わせるとにより、相乗効果を得ることができる。すなわち、本実施形態では、湯の花セラミックス２０と共に、遠赤外線放射性セラミックス３０をセラミックス包装体１００の中に入れることにより、湯の花セラミックス２０から放射される放射線による放射線ホルミシス効果、マイナスイオン効果、遠赤外線による効果とがそれぞれ相乗的に作用し、医学的効果をさらに高めることができる。
【００３０】
ここで、遠赤外線放射性セラミックス３０は、例えば、遠赤外線の波長が４〜１６μｍと遠赤外線放射率が極めて高い金属酸化物パウダーと、天然鉱石とを混合し、焼結して得たセラミックスであることが好ましい。このような遠赤外線放射性セラミックス３０から放射される遠赤外線は、身体に対して放射されると、肌細胞や体液の分子に共振運動、すなわち、波長が共鳴して分子運動が活発化する。これにより、血流が増進し、新陳代謝も活発となり、体全体が暖まる。このとき、通常の汗は汗腺から排出されるが、遠赤外線による発汗は毛穴からも排出される。そして、毛穴は、汗腺より太いので、汗腺から排出できない鉛やカドミウム等の重金属も排出する作用があり、老廃物等を排出し易くなるという効果がある。また、遠赤外線には、水に含まれる水素結合を切断する作用、すなわち、水分子間の水素結合による複合体（水のクラスター）を小さくする作用があり、水分子を体内に取り入れ易くなるという効果もある。特に、本実施形態では、温水循環パイプ５０によって遠赤外線放射性セラミックス３０を加熱することにより、遠赤外線放射性セラミックス３０から放射される遠赤外線の放射量が増大するため、遠赤外線による効果が高められる。
【００３１】
以上説明したように、本実施形態の岩盤浴装置１０によれば、湯の花セラミックス２０と遠赤外線放射性セラミックス３０とを寝床１０Ａに敷き詰めることで、例えば、家庭等でも、手軽で且つ低コストで放射線治療を行うことができると共に、湯の花セラミックス２０から放射される放射線による放射線ホルミシス効果・遠赤外線による効果・マイナスイオンによる効果の３つの相乗効果が得られ、非常に優れた医学的効果を得ることができる。
【００３２】
また、このような岩盤浴装置１０は、その構造が比較的簡単であるため、家庭や医療施設等でも手軽に且つ低コストで導入することができ、設備投資を大幅に低減することができる。
【００３３】
さらに、本実施形態の岩盤浴装置１０によれば、湯の花セラミックス２０からの放射線による効果によって、例えば、顔等の肌細胞を活性化させて免疫力が高められ、肌の若返りを促進することができる。また、遠赤外線効果によれば、保湿効果を持続させ、発汗を促すことで、顔の肌の奥まで潤いを与えることができる。さらに、マイナスイオン効果によれば、酸化を中和することにより老化の進行を抑え、老廃物を清浄化することができる。このような３つの効果が相乗的に作用し合い、顔の肌目を整え、血行の循環がよくなり、生理代謝作用が促進され、その結果、顔の肌質を十分に改善することもできる。なお、このような３つの相乗効果により、美白効果、あるいは、殺菌、浄化、消臭等の効果も期待できる。
【００３４】
さらに、本実施形態では、セラミックス包装体１００と共に活性炭包装体２００を敷き詰めることで、消臭効果を高めることができ、非常に衛生的である。
【００３５】
また、寝床１０Ａの最表面には鉱石７０が敷き詰められているため、この上に横になって寝ることで、鉱石７０による指圧効果が得られ、疲労を回復することができる。さらに、この鉱石７０からは、本実施形態では、遠赤外線が放射されているため、発汗作用がさらに促進され、新陳代謝がより活性化するという効果もある。
【００３６】
なお、本発明は、寝床１０Ａにラジウムを含む湯の花、特に、玉川温泉の湯の花から人工的に作製した人口北投石となる湯の花セラミックス２０が敷き詰められていればよいが、必要に応じて、トルマリン等のマイナスイオン放射性セラミックスや、ミネラルセラミックス等を敷き詰めるようにしてもよい。
【００３７】
（他の実施形態）
以上、本発明の一実施形態について説明したが、本発明は上述したものに限定されるものではない。例えば、上述した実施形態１では、ベッド本体４０に湯の花セラミックス２０を敷き詰めるようにしたが、これに限定されず、湯の花セラミックスを粉末状にし、その粉末を、寝床を構成する部材、例えば、マットレスや布団等に埋設するようにしてもよい。
【００３８】
また、上述した実施形態１では、寝床１０Ａの最表面に鉱石７０を敷き詰めるようにしたが、これに限定されず、遠赤外線放射性セラミックスが練りこまれたタイルを一面に敷き詰めるようにしてもよいし、指圧効果だけを得たい場合には、湯の花セラミックスを敷き詰めた上に凹凸形状のシートを設けるようにしてもよい。
【００３９】
さらに、上述した実施形態１では、加熱手段の一例として、温水循環パイプ５０及び温水ポンプ５５を例示して説明したが、これに限定されず、例えば、電気マット等を用いてもよい。また、必要に応じて、このような加熱手段を設けなくてもよいが、湯の花セラミックスと遠赤外線放射性セラミックスとを組み合わせて使用する際は、このような加熱手段を設けるのが好ましい。
【図面の簡単な説明】
【００４０】
【図１】本発明の実施形態１に係る岩盤浴装置の概略を示す斜視図及び側面図である。
【図２】本発明の実施形態１に係る岩盤浴装置の要部拡大一部断面図である。
【符号の説明】
【００４１】
１０  放射性治療装置
１０Ａ  寝床
２０  湯の花セラミックス
３０  遠赤外線放射性セラミックス
４０  ベッド本体
５０  温水循環パイプ
５５  温水ポンプ
６０  活性炭
７０  鉱石
１００  セラミックス包装体
２００  活性炭包装体
【図１】
2005245631.tif 000003
【図２】
2005245631.tif 000004